(57)【特許請求の範囲】
【請求項１】
接続処理を行ってから通信相手とデータの送受信を行う無線装置であって、
前記データを送信又は受信する無線部と、
前記接続処理を完了してから前記データを送信又は受信するまでの第１測定時間をカウ
ントするタイマと、
前記第１測定時間が第１時間Ｔ１より短い場合に第１モードとし、前記第１測定時間が
前記第１時間Ｔ１以上の場合に第２モードとする制御部と、
前記第１モードであって前記無線部が前記データを送信又は受信してから第２時間Ｔ２
経過しても次のデータを受信しない場合に前記無線部に供給する電源を制御し、前記第２
モードであって前記無線部が前記データを受信してから第３時間Ｔ３（Ｔ３＞Ｔ２）経過
しても次のデータを受信しない場合に前記無線部に供給する電源を制御する電源制御部と
、を有し、
前記無線部は、前記電源制御部によって電源の供給を制御されることでスリープモード
に移行することを特徴とする無線装置。
【請求項２】
前記第１モードで前記スリープモードに移行した場合、第４時間Ｔ４間隔でキャリアセ
ンスを行い、前記第２モードで前記スリープモードに移行した場合、第５時間Ｔ５（Ｔ５
＞Ｔ４）間隔でキャリアセンスを行うことを特徴とする請求項１記載の無線装置。
【請求項３】
データを格納するバッファをさらに有し、
前記無線部は、前記第１モードであって前記バッファに送信するデータが格納された場
合、前記第４時間Ｔ４より長く、前記第５時間Ｔ５より短いｗａｋｅ信号を送信し、前記
ｗａｋｅ信号を送信してからＩＦＳ間隔あけて前記データを送信し、前記第２モードであ
って前記バッファに送信するデータが格納された場合、前記第４時間Ｔ４より長く、前記
第５時間Ｔ５より短いｗａｋｅ信号を送信し、前記通信相手から前記ｗａｋｅ信号に対す
る応答信号を受信した場合に前記データを送信することを特徴とする請求項２記載の無線
装置。
【請求項４】
前記制御部は、前記第１モードであって、前記スリープモードに移行してから第６時間
経過してもデータを受信しない場合に前記第１モードから前記第２モードに切り替えるこ
とを特徴とする請求項３記載の無線装置。
【請求項５】
前記データを送信又は受信するアンテナを更に備え、
前記無線部は、前記アンテナを介して前記データを送信又は受信することを特徴とする
請求項１乃至請求項４の何れかに記載の無線装置。
【発明の詳細な説明】
【技術分野】
【０００１】
本開示は、無線装置に関する。
【背景技術】
【０００２】
特開２００７−２０２１３４には、一定間隔でキャリアセンスを行う以外動作を停止しているスリープモード状態の第１無線装置と、上記一定間隔より長いサーチ処理要求パケットを送信することで第１無線装置を起動させる第２無線装置とが開示されている。第２無線装置は、サーチ処理要求パケットを送信しても第１無線装置が起動しない場合、さらに長いパケットを送信する。これにより、第１無線装置は、より長い間隔で動作を停止することができ、低消費電力を実現している。
【発明の概要】
【発明が解決しようとする課題】
【０００３】
より消費電力を削減するためには、第１，２無線装置間で送受信されるデータの量や送受信間隔に応じてスリープモードの方法を変更するのが望ましい。しかしながら、スリープモードの方法を変更する場合に第１，２無線装置１，２の間でやり取りが必要になってしまう。【０００４】
本発明は、この問題を解決するためになされたものであり、無線装置間でやり取りがなくともスリープモードの方法を変更できる無線装置を提供する。
【課題を解決するための手段】
【０００５】
本発明の一観点によると、接続処理を行ってから通信相手とデータの送受信を行う無線装置であって、前記データを受信する無線部と、前記接続処理を完了してから前記データを送信又は受信するまでの第１測定時間をカウントするタイマと、前記第１測定時間が前記第１時間Ｔ１より短い場合に前記第１モードと、前記第１測定時間が前記第１時間Ｔ１以上の場合に第２モードとする制御部と、前記第１モードであって前記無線部が前記データを送信又は受信してから第２時間Ｔ２経過しても次のデータを受信しない場合に前記無線部に供給する電源を制御し、前記第２モードであって前記無線部が前記データを受信してから第３時間Ｔ３（Ｔ３＞Ｔ２）経過しても次のデータを受信しない場合に前記無線部に供給する電源を制御する電源制御部と、を有し、前記無線部は、前記電源制御部によって電源の供給を制御されることでスリープモードに移行することを特徴とする無線装置を提供する。
【発明の効果】
【０００６】
本発明によれば、無線装置間でやり取りがなくともスリープモードの方法を変更できる無線装置を提供することができる。
【図面の簡単な説明】
【０００７】
【図１Ａ】無線システムの事前選択モードを説明する図。
【図１Ｂ】無線システムの事後選択モードを説明する図。
【図２】第１実施形態に係る第１無線装置１を示す図。
【図３】第１実施形態に係る無線システムの動作を示すシーケンス図。
【図４】第１実施形態に係る無線システムの動作を示すシーケンス図。
【図５】第２実施形態に係る第１無線装置３を示す図。
【図６】第２実施形態に係る無線システムの動作を示すシーケンス図。
【発明を実施するための形態】
【０００８】
以下、図面を参照し本発明の実施の形態を説明する。なお、以下の実施例中では、同一の番号を付した部分については同様の動作を行うものとし、重ねての説明を省略する。
【０００９】
図１を用いて本発明の実施形態に係る無線システムの概要を説明する。無線システムは、第１無線装置１と第２無線装置２とを有している。第１無線装置１及び第２無線装置２は、互いに近接したときに接続処理を行う。
【００１０】
例えば、図１Ａに示すように、例えば携帯端末などの第１無線装置１を持つユーザがダウンロードしたいデータを選んでから第１無線装置１を第２無線装置２に近づけることで、第１無線装置１と第２無線装置とが接続し、データを送受信する場合が考えられる。この場合、予め通信するデータが決まっているため、事前選択モード（第１モード）と称する。なお、例えば情報ＫＩＯＳＫ端末などが第２無線装置に該当する。
【００１１】
一方、図１Ｂに示すように、第１無線装置１と第２無線装置２とが接続してから、ユーザが通信するデータを選択する場合も考えられる。この場合、通信するデータを接続後に選択するため、事後選択モード（第２モード）と称する。この場合、第１無線装置１としては、例えば携帯端末が、第２無線装置２としてはＰＣなどが考えられる。
【００１２】
(第１実施形態)
本発明の第１実施形態に係る無線システムを説明する。無線システムは第１無線装置１と第２無線装置２とを有している。
【００１３】
図２を用いて第１無線装置１を説明する。第１無線装置１は、例えば接続要求など接続処理に必要な信号を送受信したり、データを送受信したりする無線部１１と、接続処理を完了してからデータを送信又は受信するまでの第１測定時間をカウントする第１タイマ１２と、第１測定時間が第１時間Ｔ１より短い場合に事前選択モードと、第１測定時間が第１時間Ｔ１以上の場合に事後選択モードとする制御部１３とを有する。第１無線装置１は、無線部１３がデータを送信／受信してから経過した時間を第２測定時間としてカウントする第２タイマ１４と、事前選択モードであって第２経過時間が第２時間Ｔ２を超えても次のデータを受信しない場合に無線部１１に供給する電源を制御し、事後選択モードであって第２経過時間が第３時間Ｔ３（Ｔ３＞Ｔ２）を超えても次のデータを受信しない場合に無線部１１に供給する電源を制御する電源制御部１５と、を有する。無線部１１は、電源制御部１３によって電源の供給を制御されることでスリープモードに移行する。
【００１４】
また、第１無線装置１の無線部１１は、受信部１１１と送信部１１２とを有している。第１無線装置は、受信したデータを一時的に保持する受信バッファ１６と、送信するデータを一時的に保持する送信バッファ１７とを有している。
【００１５】
第１無線装置１の各部を詳細に説明する。
【００１６】
無線部１１の受信部１１１は、アンテナを介して受信した無線信号に対し、復調処理、復号化処理、アンチエリアシングフィルタ処理、周波数変換処理、低雑音増幅処理など、無線システムに従った信号処理を施し、受信信号を生成する。受信信号には、データや接続要求信号、接続応答信号などが含まれる。受信部１１１は、受信信号を受信バッファ１１６に渡す。また、受信部１１１は、スリープモードに移行すると、事前選択モード又は事後選択モードに応じた間隔でキャリアセンス処理を行う以外動作を停止する。受信部１１１は、キャリアセンス処理を行うと、検出した電力値を制御部１３に通知する。
【００１７】
送信部１１２は、送信バッファ１１７から受け取った送信信号又は、制御部１３から受け取ったｗａｋｅ信号に対し、変調処理、符号化処理、波形整形フィルタ処理、周波数変換処理、電力増幅処理などの無線システムに従った信号処理を施し、無線信号を生成する。無線信号は、アンテナを介して第２無線装置２に送信される。送信信号には、データや接続要求信号、接続応答信号などが含まれる。送信部１１２は、スリープモードに移行すると、動作を停止する。
【００１８】
受信バッファ１６は、受信部１１１から受信信号を受け取り、受信信号を一時保持する。受信バッファ１６は、保持している受信信号を図示しない上位レイヤに渡す。送信バッファ１７は、図示しない上位レイヤから受け取った送信信号を一時的に保持する。送信バッファ１７は、上位レイヤから送信信号を受け取ると、その旨を制御部１３に通知する。送信バッファ１７は、保持している送信信号を送信部１１２に渡す。
【００１９】
第１タイマ１２は、無線部１１の接続処理が完了すると、無線部１１から計測開始通知を受け取る。具体的には、第１無線装置１が接続応答を送信する場合は、送信部１１２から、第１無線装置１が接続応答を受信する場合は、受信部１１１から計測開始通知を受け取る。計測開始通知を受け取った第１タイマ１２は、時間の計測を開始する。第１タイマ１２は、接続処理が完了した後に、データを送信／受信すると、計測終了通知を受け取る。具体的には、第１無線装置１がデータを送信する場合は送信部１１２から、データを受信する場合は受信部１１１から計測終了通知を受け取る。第１タイマ１２は、計測終了通知を受け取ると時間の計測を終了する。第１タイマ１２は、計測した時間を第１計測時間として制御部１３に渡す。
【００２０】
第２タイマ１４は、無線部１１が無線信号を送信／受信してから経過した時間を第２経過時間として測定する。第２タイマ１４は、無線部１１の受信部１１１又は送信部１１２から無線信号を受信／送信した旨を示す通知を受け取ると第２経過時間の計測を開始する。第２タイマ１４は、無線部１１から通知があると、今まで計測していた時間をリセットし新しい時間の計測を開始する。即ち第２タイマ１４は、無線部１１が無線信号を受信／送信してから、次の信号を受信するまでの時間を第２経過時間として測定する。
【００２１】
また第２タイマ１４は、スリープモード時に受信部１１１がキャリアセンス処理を行ってから経過した時間を第３経過時間として測定する。受信部１１１は、キャリアセンス処理を行うとその旨を第２タイマ１４に通知する。第２タイマ１４は、通知を受け取ると時間計測を開始する。第２タイマは、キャリアセンス処理を行ったという通知を受け取ると、今まで計測していた時間をリセットし新しい時間の計測を開始する。即ち、第２タイマ１４は、受信部１１１がキャリアセンス処理を行ってから次のキャリアセンス処理を行うまでのキャリアセンス間隔を第３経過時間として計測する。第２タイマ１４は、一定間周期で計測した時間を第２経過時間又は第３経過時間を制御部１３に通知する。
【００２２】
制御部１３は、第１無線装置１が事前選択モード又は事後選択モードのいずれかで動作するか制御する。制御部１３は、第１タイマ１２から第１経過時間を受け取ると、第１経過時間と第１時間Ｔ１とを比較する。第１経過時間が第１時間Ｔ１より短い場合は、事前選択モードであると判断する。これは、予め送信するデータが決まっているため、接続処理が完了してからデータが送信／受信されるまでの時間は短いと考えられるためである。一方、事後選択モードの場合、接続処理が完了してから送信データが選択されるため、第１経過時間は事前選択モードより長くなる。従って制御部１３は、第１経過時間が第１時間Ｔ１以上である場合、事後選択モードであると判断する。
【００２３】
制御部１３は、第２経過時間を第２タイマ１４から受け取ると、第１経過時間と第２時間Ｔ２又は第３時間Ｔ３とを比較する。第２時間Ｔ２は第３時間Ｔ３より短い（Ｔ２＜Ｔ３）。
【００２４】
制御部１３は、事前選択モードの場合、第２経過時間と第２時間Ｔ２とを比較する。第２経過時間が第２時間Ｔ２より長い場合、スリープモードに移行すると決定する。制御部１３は、事後選択モードの場合、第２経過時間と第３時間Ｔ３とを比較する。第３経過時間が第３時間Ｔ３より長い場合、スリープモードに移行すると決定する。制御部１３は電源制御部１５及び無線部１１にスリープモードに移行する旨を通知する。
【００２５】
制御部１３は、スリープモード時に第２タイマから第３経過時間を受け取る。制御部１３は、第３経過時間と第４時間Ｔ４又は第５時間Ｔ５とを比較する。第４時間Ｔ４は第５時間Ｔ５より短い（Ｔ４＜Ｔ５）。なお、第２時間Ｔ２と第４時間Ｔ４は同じ長さ（Ｔ２＝Ｔ４）であってもよく、第３時間Ｔ３と第５時間Ｔ５とは同じ長さ（Ｔ３＝Ｔ５）であってもよい。
【００２６】
制御部１３は、事前選択モードの場合、第３経過時間と第４時間Ｔ４とを比較する。第３経過時間が第４時間Ｔ４を超えた場合、制御部１３は、受信部１１１にキャリアセンス処理を行うよう指示する。
【００２７】
制御部１３は、事後選択モードの場合、第３経過時間と第５時間Ｔ５とを比較する。第３経過時間が第５時間Ｔ５を超えた場合、制御部１３は、受信部１１１にキャリアセンス処理を行うよう指示する。
【００２８】
制御部１３は、受信部１１１からキャリアセンス結果である電力値を受け取ると、電力値を閾値とを比較する。電力値が閾値を超えていた場合、制御部１３は、電源制御部１５にスリープモードを終了するよう通知する。
【００２９】
制御部１３は、スリープモード時に送信バッファ１７から送信信号を上位レイヤから受け取った旨の通知を受け取ると、スリープモード終了を決定する。制御部１３は、スリープモードを終了する旨を電源制御部１５に通知する。制御部１３は、ｗａｋｅ信号を生成し、送信部１１２にｗａｋｅ信号を渡す。
【００３０】
電源制御部１５は、図示しない電源部から第１無線装置１の各部に電源を供給する。電源制御部１５は、制御部１４からスリープモードに移行する旨の通知を受け取ると、無線部１１への電源供給を、キャリアセンス処理を行う場合を除き停止する。電源制御部１５は、制御部１１がキャリアセンス処理を受信部１１１に指示した場合に受信部１１１に電源を供給する。
【００３１】
なお、第２無線装置２の構成は、第１無線装置１と同じであるため、説明を省略する。
【００３２】
次に、図３，４を用いて無線システムの動作を説明する。図３は事前選択モード時の無線システムの動作を示すシーケンス図である。ここでは、ユーザが選択したデータを第１無線装置１が第２無線装置２に送信する場合について説明する。また接続処理は、第１無線装置１が接続要求信号を送信することで開始されるものとする。
【００３３】
ユーザはダウンロードしたいデータを選択した後、第１無線装置１を第２無線装置２に近づけることで、第１無線装置１と第２無線装置２は接続処理を開始する。具体的には、第１無線装置１が第２無線装置２に対し接続要求信号を送信する（Ｓ１１）。第２無線装置２は、接続要求信号を受信すると、接続応答信号を返信する（Ｓ１２）。これにより、接続処理が完了する。
【００３４】
第１無線装置１は、接続応答信号の受信を完了してから次に送信部１１２がデータを送信するまでの時間を第１計測時間として計測する（Ｓ１３）。第１無線装置１は第１計測時間と第１時間Ｔ１とを比較する。この場合、第１計測時間は第１時間Ｔ１より短いため、第１無線装置１は事前選択モードと決定する。
【００３５】
第２無線装置２は、接続応答信号の送信を完了してから、第１無線装置１からデータを受信するまでの時間を第１計測時間として計測する（Ｓ１４）。第２無線装置２は第１計測時間と第１時間Ｔ１とを比較する。この場合、第１計測時間は第１時間Ｔ１より短いため、第２無線装置２は、事前選択モードと決定する。
【００３６】
第１無線装置１は、送信バッファ１７が保持しているデータを複数に分割し、分割したデータを一定の送信間隔をあけてバースト的に送信する（Ｓ１５）。送信間隔は、例えばＩＦＳ（Ｉｎｔｅｒ  Ｆｒａｍｅ  Ｓｐａｃｅ）である。バースト的に送信するとは、ＩＦＳ＋第４時間Ｔ４以下の間隔でデータを連続して送信することを意味する。
【００３７】
第１無線装置１は、分割したデータを送信すると送信を完了したときから第２経過時間の計測を開始する（Ｓ１６）。第２無線装置２は、分割したデータを受信すると受信を完了したときから第２経過時間の計測を開始する（Ｓ１７）。
【００３８】
第１，２無線装置１，２は、第２経過時間が第２時間Ｔ２を経過してもデータを受信しない場合、スリープモードに移行する（Ｓ１８）。スリープモード時に第１，２無線装置１，２は第４時間Ｔ４間隔でキャリアセンス処理を行う。
【００３９】
ここで、スリープモード時に送信データが発生し、第１無線装置１の送信バッファ１７に上位レイヤからデータが渡されたとする。このとき第１無線装置１の制御部１４は、ｗａｋｅ信号を生成する。第１無線装置１の送信部１１２は、ｗａｋｅ信号を第２無線装置２に送信する（Ｓ１９）。ｗａｋｅ信号の信号長Ｔｗは、第４時間Ｔ４以上、第５時間Ｔ５より短いとする（Ｔ４≦Ｔｗ＜Ｔ５）。第１無線装置１は、ｗａｋｅ信号を送信すると送信間隔をあけて送信バッファに保持されているデータを送信する（Ｓ２０）。
【００４０】
第２無線装置２は、キャリアセンス処理を行っている間にｗａｋｅ信号を受信すると、スリープモードを終了する。第２無線装置２は、ｗａｋｅ信号を受信すると送信間隔をあけてデータを受信する。第１，２無線装置１，２間の接続が切断されるまで第１，２無線装置１，２は、ステップＳ１５からステップＳ２０までの処理を繰り返し行う。
【００４１】
続いて、図４を用いて事後選択モード時の無線システムの動作を説明する。ユーザが第１無線装置１を第２無線装置２に近接させることで、第１，２無線装置１，２が接続する。ユーザは、第１，２無線装置１，２が接続した後に、データを選択する。接続処理は図３に示すものと同じであるため説明を省略する。
【００４２】
第１無線装置１は、接続応答信号の受信を完了してから次に送信部１１２がデータを送信するまでの時間を第１計測時間として計測する（Ｓ２３）。第１無線装置１は第１計測時間と第１時間Ｔ１とを比較する。この場合、第１計測時間は第１時間Ｔ１以上であるため、第１無線装置１は事後選択モードと決定する。
【００４３】
第２無線装置２は、接続応答信号の送信を完了してから、第１無線装置１からデータを受信するまでの時間を第１計測時間として計測する（Ｓ２４）。第２無線装置２は第１計測時間と第１時間Ｔ１とを比較する。この場合、第１計測時間は第１時間Ｔ１以上であるため、第２無線装置２は、事後選択モードと決定する。
【００４４】
第１無線装置１は、送信バッファ１７が保持しているデータを複数に分割し、分割したデータを一定の送信間隔をあけてバースト的に送信する（Ｓ１５）。
【００４５】
第１無線装置１は、分割したデータを送信すると送信を完了したときから第２経過時間の計測を開始する（Ｓ１６）。第２無線装置２は、分割したデータを受信すると受信を完了したときから第２経過時間の計測を開始する（Ｓ１７）。
【００４６】
第１，２無線装置１，２は、第２経過時間が第３時間Ｔ３を経過してもデータを受信しない場合、スリープモードに移行する（Ｓ２８）。スリープモード時に第１，２無線装置１，２は第５時間Ｔ５間隔でキャリアセンス処理を行う。
【００４７】
ここで、スリープモード時に送信データが発生し、第１無線装置１の送信バッファ１７に上位レイヤからデータが渡されたとする。このとき第１無線装置１の制御部１４は、ｗａｋｅ信号を生成する。第１無線装置１の送信部１１２は、ｗａｋｅ信号を第２無線装置２に送信する（Ｓ１９）。第２無線装置２は、ｗａｋｅ信号の信号長Ｔｗより長い間隔でキャリアセンス処理を行っているため、第１無線装置１がｗａｋｅ信号を１回送っても第２無線装置２がスリープモードから復帰しない場合がある。そこで、第１無線装置１は、第２無線装置２からｗａｋｅ信号に対する応答信号ＡＣＫが返信されるまで繰り返しｗａｋｅ信号を送信する（Ｓ２９）。
【００４８】
第２無線装置２は、キャリアセンス処理を行っている場合にｗａｋｅ信号を検出するとスリープモードを終了し、ｗａｋｅ信号に対する応答信号ＡＣＫを送信する（Ｓ２１）。第１無線装置１は、応答信号ＡＣＫを受信すると送信バッファに保持されているデータを送信する（Ｓ２０）。第１，２無線装置１，２間の接続が切断されるまで第１，２無線装置１，２は、ステップＳ１５からステップＳ２０までの処理を繰り返し行う。
【００４９】
以上のように、第１実施形態に係る無線システムは、ユーザがダウンロードしたいデータを第１，２無線装置１，２が接続する前に選択するのか（事前選択モード）、接続した後に選択するのか（事後選択モード）に応じてスリープモードに移行する時間及びキャリアセンス間隔を調整している。事前選択モードの場合、予め送信するデータが決まっているため、短期間で大量のデータが送信されると考えられる。一方、事後選択モードの場合、都度、送信するデータを決定するため、長期間にわたり不定期にデータが送信されると考えられる。そこで、本実施形態に係る無線システムでは、短期間で大量のデータが送信される事前選択モードの場合には細かくスリープモードに移行することで消費電力を削減するとともに、キャリアセンス間隔を短くすることで、スリープモードからの復帰を短くすることができる。また、事後選択モードの場合には、スリープモードへ移行するまでの時間を長くする代わりにキャリアセンス間隔を長くすることで、低消費電力化を図っている。
【００５０】
本実施形態に係る無線システムでは、上記のように事前選択モード、事後選択モードを切り替えることでスリープモードの方法を変更し、システムの低消費電力を図っている。さらに本実施形態の無線システムは、事前選択モードと事後選択モードの切り替えを、接続処理を行ってから次のデータを送受信するまでの第１計測時間に基づいて行うことで、第１，２無線装置１，２がやり取りを行わなくとも事前選択モード及び時後選択モードを切り替えることができる。
【００５１】
本実施形態では、ｗａｋｅ信号Ｔｗの信号長を事前選択モード時のキャリアセンス間隔以上としている。これにより、第１無線装置１は、事前選択モード時にｗａｋｅ信号に対する応答信号ＡＣＫを受信しなくともデータの送信を開始でき、スリープモードの復帰からデータの送信までの間隔を短縮することができる。
【００５２】
本実施形態に係る第１無線装置１は、事後選択モード時であっても事前選択モードと同様ｗａｋｅ信号を用いて第２無線装置２をスリープモードから復帰させているが、信号長が第５時間Ｔ５より長い信号を用いてもよい。ただし、第１無線装置１は事後選択モード時にもｗａｋｅ信号を用いることで、最短でｗａｋｅ信号の信号長Ｔｗに相当する時間で第２無線装置２をスリープモードから復帰させることができる。
【００５３】
なお、上述した例では、第１，２タイマ１２，１４は計測した第１〜第３経過時間を制御部１３に渡し、制御部１３が第１〜第３経過時間と第１〜第５時間Ｔ１〜Ｔ５とを比較するとしたが、第１，２タイマ１２，１４が第１〜第３経過時間と第１〜第５時間Ｔ１〜Ｔ５とを比較し、比較結果を制御部１３に通知するようにしてもよい。
【００５４】
（第２実施形態）
本発明の第２実施形態に係る無線システムを説明する。本実施形態に係る無線システムは、第１，２無線装置３，４を有している。第１，２無線装置３，４は、第３タイマ１８を有している点を除き、図２に示す第１無線装置１と同じ構成である。本実施形態に係る無線システムは、事前選択モードでスリープモードに移行した場合であって、第６時間Ｔ６経過してもデータを送受信しないときは事前選択モードから事後選択モードに切り替えることを特徴としている。
【００５５】
図５を用いて第１無線装置３の構成を説明する
第１無線装置３の第３タイマ１８は、制御部１３からスリープモードに移行する旨の通知を受けると第４経過時間の計測を開始する。第３タイマ１８は、一定周期で第４経過時間を制御部１３に通知する。
【００５６】
制御部１３は、第４経過時間を受け取ると、第４経過時間と第６時間Ｔ６とを比較する。事前選択モードであって、第４経過時間が第６時間Ｔ６を超えた場合、制御部１３は、事前選択モードから事後選択モードに切り替える。制御部１３は、事後選択モードに切り替えた旨を示す切り替え通知を無線部１１及び電源制御部１５に通知する。
【００５７】
なお、第２無線装置４の構成は、第１無線装置３と同じであるので説明を省略する。
【００５８】
次に、図６を用いて無線システムの動作について説明する。なお事後選択モードの場合の動作は図４と同じであるので説明を省略する。第１，２無線装置３，４が事前選択モードで動作する場合について説明する。なお、第１，２無線装置３，４がスリープモードに移行する（Ｓ１８）までの動作は、図３と同じである。
【００５９】
スリープモードに移行した第１，２無線装置３，４は、第３タイマ１８にて第４経過時間の計測を開始する。また第１，２無線装置３，４の第２タイマ１４は、第２経過時間の計測を開始する。これにより、第１，２無線装置３，４は第４時間Ｔ４間隔でキャリアセンス処理を繰り返し行う。
【００６０】
第３タイマ１８で計測した第４経過時間が第６時間Ｔ６を超えた場合、すなわちスリープモードに移行してから第６時間Ｔ６経過しても第１，２無線装置３，４ともに信号の送受信を行わなかった場合、第１，２無線装置３，４の制御部１３は、事前選択モードから事後選択モードに切り替える。第１，２無線装置３，４は、事後選択モードに切り替えると、キャリアセンス処理の間隔を第５時間Ｔ５とする。以降の処理は事後選択モードの場合と同じである。
【００６１】
以上のように、第２実施形態に係る無線システムは、第１実施形態の無線システムと同様の効果が得られるとともに、事前選択モードであってスリープモードに移行してから一定時間経過しても信号を送受信しない場合に、事後選択モードに切り替えることで、より消費電力を削減することができる。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６３】
１〜４  無線装置、１１  無線部、１１１  受信部、１１２  送信部、１２，１４，１８  タイマ、１３  制御部、１５  電源制御部、１６，１７  バッファ
【図１Ａ】
0005475872.tif 000002
【図１Ｂ】
0005475872.tif 000003
【図２】
0005475872.tif 000004
【図３】
0005475872.tif 000005
【図４】
0005475872.tif 000006
【図５】
0005475872.tif 000007
【図６】
0005475872.tif 000008